(57)【要約】【課題】紛失した場合でも、記憶する情報を失うことがなく、また記憶する情報の漏洩を防止可能な移動無線端末装置を提供する。【解決手段】制御部１８０は、時計部１７０の経過時間を監視し、一定時間Ｔ２が経過すると、記憶部１６０が記憶するユーザデータをサーバ装置２００に送信して退避させた後、記憶部１６０から上記ユーザデータを消去するようにしたものである。【選択図】      図１
2008017329.tif 000002
【特許請求の範囲】
【請求項１】
移動通信網に収容される基地局と無線通信し、前記移動通信網を通じてサーバ装置と通信する通信手段と、
データを記憶する記憶手段と、
時間を計測する計測手段と、
この計測手段が計測した時間に基づいて、予め設定した時間となったことを検出する検出手段と、
この検出手段が予め設定した時間となったことを検出した場合に、前記通信手段を制御して、前記記憶手段が記憶するデータを前記サーバ装置に送信して記憶させるとともに、前記データを前記記憶手段から消去する制御手段とを具備することを特徴とする移動無線端末装置。
【請求項２】
移動通信網に収容される基地局と無線通信し、前記移動通信網を通じてサーバ装置と通信する通信手段と、
データを記憶する記憶手段と、
時間を計測する計測手段と、
この計測手段が計測した時間に基づいて、予め設定した時間となったことを検出する検出手段と、
この検出手段が予め設定した第１の時間となったことを検出した場合に、前記通信手段を制御して、前記記憶手段が記憶するデータを前記サーバ装置に送信して記憶させる第１制御手段と、
前記検出手段が、前記第１の時間以上の予め設定した第２の時間となったことを検出した場合に、前記データを前記記憶手段から消去する第２制御手段とを具備することを特徴とする移動無線端末装置。
【請求項３】
さらに、前記通信手段が前記基地局と通信可能か通信不可能かを検出する通信検出手段と、
暗証コードの入力を受け付ける受付手段とを備え、
前記第２制御手段は、前記検出手段が予め設定した時間となったことを検出し、かつ前記通信検出手段が通信不可能であることを検出した場合に、前記受付手段が予め設定された暗証コードを受け付けると、前記データを前記記憶手段から消去せず、前記受付手段が予め設定された暗証コードを受け付けないと、前記データを前記記憶手段から消去することを特徴とする請求項１または請求項２に記載の移動無線端末装置。
【請求項４】
移動通信網に収容される基地局と無線通信し、前記移動通信網を通じてサーバ装置と通信する通信手段と、
ユーザの要求を受け付ける受付手段と、
データを記憶する記憶手段と、
情報を表示する表示手段と、
時間を計測する計測手段と、
この計測手段が計測した時間に基づいて、予め設定した時間となったことを検出する検出手段と、
この検出手段が予め設定した時間となったことを検出した場合に、前記通信手段を制御して、前記記憶手段が記憶するデータを前記サーバ装置に送信して記憶させる第１制御手段と、
前記受付手段を通じたユーザの要求に応じて、前記記憶手段からデータを読み出して、このデータに基づく情報を前記表示手段に表示させるものであって、前記検出手段が予め設定した時間となったことを検出した場合には、前記受付手段を通じてユーザから要求があっても、前記データに基づく情報を前記表示手段に表示させない第２制御手段とを具備することを特徴とする移動無線端末装置。
【請求項５】
移動通信網に収容される基地局と無線通信し、前記移動通信網を通じてサーバ装置と通信する通信手段と、
データを記憶する記憶手段と、
時間を計測する計測手段と、
この計測手段が計測した時間に基づいて、予め設定した時間となったことを検出する検出手段と、
この検出手段が予め設定した第１の時間となったことを検出した場合に、前記通信手段を制御して、前記記憶手段が記憶するデータを前記サーバ装置に送信して記憶させる第１制御手段と、
前記受付手段を通じたユーザの要求に応じて、前記記憶手段からデータを読み出して、このデータに基づく情報を前記表示手段に表示させるものであって、前記検出手段が、前記第１の時間以上の予め設定した第２の時間となったことを検出した場合には、前記受付手段を通じてユーザから要求があっても、前記データに基づく情報を前記表示手段に表示させない第２制御手段とを具備することを特徴とする移動無線端末装置。
【請求項６】
さらに、前記通信手段が前記基地局と通信可能か通信不可能かを検出する通信検出手段と、
前記第２制御手段は、前記検出手段が予め設定した時間となったことを検出し、かつ前記通信検出手段が通信不可能であることを検出した場合には、前記受付手段が予め設定された暗証コードを受け付けると、前記受付手段を通じたユーザの要求に応じて、前記記憶手段からデータを読み出して、このデータに基づく情報を前記表示手段に表示させることを特徴とする請求項４または請求項５に記載の移動無線端末装置。
【発明の詳細な説明】
【技術分野】
【０００１】
この発明は、例えば携帯電話機などの移動無線端末装置に関する。
【背景技術】
【０００２】
近年、携帯電話機の多機能化に伴い、携帯電話機内に多くの個人情報が蓄積されることが多くなってきた。それに対し、携帯電話機は、その運用形態が持ち歩くものであるため、紛失する危険性や、他人に盗み見られる危険性が多く、情報の保護が必要である。
【０００３】
これに対して従来は、紛失した携帯電話機に対して遠隔操作を行って、情報をロックするなどしていた（例えば、特許文献１参照）。しかしながら、この手法では、紛失した携帯電話機が手元に戻らない限り、携帯電話機に記憶される情報を失うことになる。また紛失した携帯電話機が、通信圏外にある場合や電源が切れている場合には、遠隔操作は行えず、記憶される個人情報が漏洩する虞があるという問題があった。
【特許文献１】特開２００３−２２４８８６公報。
【発明の開示】
【発明が解決しようとする課題】
【０００４】
従来の移動無線端末装置では、紛失した場合に、記憶する情報も失うばかりか、記憶する情報が漏洩する虞があるという問題があった。  
この発明は上記の問題を解決すべくなされたもので、紛失した場合でも、記憶する情報を失うことがなく、また記憶する情報の漏洩を防止可能な移動無線端末装置を提供することを目的とする。
【課題を解決するための手段】
【０００５】
上記の目的を達成するために、この発明は、移動通信網に収容される基地局と無線通信し、移動通信網を通じてサーバ装置と通信する通信手段と、データを記憶する記憶手段と、時間を計測する計測手段と、この計測手段が計測した時間に基づいて、予め設定した時間となったことを検出する検出手段と、この検出手段が予め設定した時間となったことを検出した場合に、通信手段を制御して、記憶手段が記憶するデータをサーバ装置に送信して記憶させるとともに、データを前記記憶手段から消去する制御手段とを具備して構成するようにした。
【発明の効果】
【０００６】
以上述べたように、この発明では、予め設定した時間となった場合に、通信手段を制御して、記憶手段が記憶するデータをサーバ装置に送信して記憶させるとともに、上記データを記憶手段から消去するようにしている。  
したがって、この発明によれば、紛失した場合でも、サーバ装置にデータを退避させるので、記憶する情報を失うことがなく、また記憶手段から消去するので記憶する情報の漏洩を防止可能な移動無線端末装置を提供できる。
【発明を実施するための最良の形態】
【０００７】
以下、図面を参照して、この発明の一実施形態について説明する。図１は、この発明の一実施形態に係わる移動無線端末装置の構成を示すものである。以下の説明では、移動無線端末装置の一例として、携帯電話機１００を例に挙げて説明する。この携帯電話機１００は、移動通信網ＮＷに収容される公衆基地局ＢＳと無線接続して通信するものであって、通常の音声通信機能の他に、移動通信網ＮＷに収容されるサーバ装置２００と通信する機能を有する。
【０００８】
この携帯電話機１００は、アンテナ１０１と、通信部１１０と、音声処理部１２０と、表示部１３０と、操作部１４０と、報知部１５０と、記憶部１６０と、時計部１７０と、制御部１８０とを備える。  
アンテナ１０１は、公衆基地局ＢＳから送信される無線信号を空間から受信したり、当該携帯電話機１００から公衆基地局ＢＳに宛てた無線信号を空間の放射するものである。
【０００９】
通信部１１０は、アンテナ１０１を通じて公衆基地局ＢＳと無線通信するものである。具体的には、通信部１１０は、アンテナ１０１が受信した無線信号をダウンコンバートして復調し、通信相手局から送信された符号化音声データや、電子メールデータ、種々の制御データを得る。また通信部１１０は、公衆基地局ＢＳから受信した無線信号の強度（例えばＲＳＳＩ（Received Signal Strength Indicator））を検出する。
【００１０】
また通信部１１０は、制御部１８０を通じて音声処理部１２０から与えられる符号化音声データや電子メールデータ、ユーザデータなどを用いてベースバンド信号を変調し、これをアップコンバートして無線信号を生成し、アンテナ１０１を通じて公衆基地局ＢＳに送信する。
【００１１】
音声処理部１２０は、通信部１１０にて復調された符号化音声データを復号して音声信号を再生し、内蔵するスピーカ１２１から拡声出力する。これにより、通話相手局からの送話音声がユーザに伝達される。また音声処理部１２０は、内蔵するマイクロホン１２２から入力された音声信号を符号化して符号化音声データを生成し、これを制御部１８０を通じて通信部１１０に与える。
【００１２】
表示部１３０は、ＬＣＤ（Liquid Crystal Display）などを用いた表示装置であって、制御部１８０の制御により、テキストや画像など種々の視覚的な情報をユーザに映像表示するものである。
【００１３】
操作部１４０は、複数のキースイッチなどを備え、ユーザの要求や、番号情報の入力を受け付けるものである。報知部１５０は、着信の発生を音と振動によりユーザに報知するものであって、制御部１８０の制御により、音と振動による報知、音のみによる報知、振動のみによる報知のいずれかを選択的に行うことができる。
【００１４】
記憶部１６０は、制御部１８０の制御プログラムや制御データを記憶するとともに、電話番号、名称および顔写真などの画像データを対応づけたアドレス帳データなどをユーザデータとして記憶する。なお、ユーザデータには、上記以外にも着信・発信履歴、留守録データ、音声メモ、静止画像や動画像などの画像データ、音声データ、Ｗｅｂアクセス記録、アクセス履歴、ブックマーク、送受信した電子メールデータなど、種々の個人情報を記憶する。
【００１５】
時計部１７０は、時刻を計時する機能を備えるとともに、制御部１８０の指示にしたがって、時間を計測するタイマ機能を備える。このタイマ機能は、複数の異なる時間を起点として、経過時間を計測することが可能である。時計部１７０によって計時された時刻および計測された経過時間は、随時、制御部１８０に通知される。
【００１６】
制御部１８０は、当該携帯電話機１００の各部を統括して制御するものである。例えば、制御部１８０は、音声通信を行うための制御機能として、着信信号を受信するための着信制御機能、ユーザから発信要求が受け付けた場合に発信を行うための発信制御機能、そしてこれら発着信制御時に通話相手と通信リンクを確立して音声データの送受信および音声の入出力を行う通話制御機能を備える。
【００１７】
また制御部１８０は、操作部１４０を通じたユーザの要求に応じて、記憶部１６０からユーザデータを読み出し、このユーザデータに基づく個人情報を表示部１３０に表示させる表示制御機能を備える。
【００１８】
さらに制御部１８０は、記憶部１６０が記憶するユーザデータをサーバ装置２００に退避させるために、移動通信網ＮＷを通じてサーバ装置２００に送信する制御機能や、記憶部１６０が記憶するユーザデータを消去する制御機能など、ユーザデータを管理する制御機能を備える。
【００１９】
サーバ装置２００は、通信部２１０と、記憶部２２０と、制御部２３０とを備える。  
通信部２１０は、移動通信網ＮＷおよび公衆基地局ＢＳを通じて、携帯電話機１００と通信する。制御部２３０は、当該サーバ装置２００の各部を統括して制御するものであって、その機能の一例として例えば、通信部２１０を制御して、携帯電話機１００からユーザデータを受信し、これを記憶部２２０に記憶させる制御機能を備える。また通信部２１０を通じて接続される通信装置に対して、認証を行い、正当性が認められる通信装置に対して、記憶部２２０が記憶するユーザデータを送信する制御機能を備える。
【００２０】
次に、上記構成の無線通信端末装置の動作について説明する。なお、以下の説明では、通常の音声通信や電子メールの送受信などの周知の制御についての説明は省略し、当該発明に関わるユーザデータを管理する制御機能の説明を中心に行う。図２に示すフローチャートは、記憶部１６０に記憶される制御プログラムに基づいて制御部１８０が実行するものであって、この図に示す処理は、当該携帯電話機の電源が投入されると実行される。
【００２１】
まず、ステップ２ａにおいて制御部１８０は、時計部１７０を制御して、２つのタイマｔ１，ｔ２をそれぞれスタートさせ、ステップ２ｂに移行する。以下の説明では、タイマｔ１のカウント値をｔ１と表し、同様にタイマｔ２のカウント値をｔ２として表す。
【００２２】
ステップ２ｂにおいて制御部１８０は、カウント値ｔ１の値が、予め設定された閾値Ｔ１を超えたか否かを判定する。ここで、カウント値ｔ１の値が閾値Ｔ１を超えた場合には、ステップ２ｃに移行し、一方、カウント値ｔ１の値が閾値Ｔ１以下の場合には、ステップ２ｅに移行する。
【００２３】
ステップ２ｃにおいて制御部１８０は、記憶部１６０からユーザデータを読み出し、通信部１１０を制御して、読み出したユーザデータをサーバ装置２００に送信し、ステップ２ｄに移行する。これにより携帯電話機１００から送信されたユーザデータは、公衆基地局ＢＳおよび移動通信網ＮＷを通じて、サーバ装置２００に送信される。
【００２４】
これに対して、サーバ装置２００では、通信部２１０が上記ユーザデータを受信するように制御部２３０が制御し、制御部２３０は、受信したユーザデータを携帯電話機１００の識別情報（例えば加入者番号）などと対応付けて、記憶部２２０に記録する。なお、すでに、上記携帯電話機１００のユーザデータが記憶部２２０に記憶されている場合には、受信したユーザデータを上書き保存する。
【００２５】
ステップ２ｄにおいて制御部１８０は、時計部１７０を制御して、タイマｔ１のカウント値をリセットし、タイマｔ１を再スタートさせ、ステップ２ｂに移行する。すなわち、タイマｔ１は、ユーザデータを退避させてからの経過時間をカウントする。
【００２６】
一方、ステップ２ｅにおいて制御部１８０は、カウント値ｔ２の値が、予め設定された閾値Ｔ２を超えたか否かを判定する。ここで、カウント値ｔ２の値が閾値Ｔ２を超えた場合には、ステップ２ｉに移行し、一方、カウント値ｔ２の値が閾値Ｔ２以下の場合には、ステップ２ｆに移行する。
【００２７】
ステップ２ｆにおいて制御部１８０は、カウント値ｔ３の値が、予め設定された閾値Ｔ３を超えたか否かを判定する。ここで、カウント値ｔ３の値が閾値Ｔ３を超えた場合には、ステップ２ｊに移行し、一方、カウント値ｔ３の値が閾値Ｔ３以下の場合には、ステップ２ｇに移行する。なおここで、タイマｔ３が起動されていない場合には、ステップ２ｇに移行する。
【００２８】
ステップ２ｇにおいて制御部１８０は、操作部１４０を通じたユーザの操作にしたがって、記憶部１６０が記憶するユーザデータの閲覧や更新、編集などが行われたか否かを判定する。すなわち、ユーザによって、ユーザデータが利用されたか否かを判定する。ここで、ユーザデータが利用されたことを検出した場合には、ステップ２ｈに移行し、一方、ユーザデータが利用されたことを検出しない場合には、ステップ２ｂに移行する。
【００２９】
ステップ２ｈにおいて制御部１８０は、時計部１７０を制御して、タイマｔ２のカウント値をリセットし、タイマｔ２を再スタートさせ、ステップ２ｂに移行する。すなわち、タイマｔ２は、ユーザデータの利用がなされたり、後述する処理により、正当な暗証番号が入力されてからの経過時間をカウントする。
【００３０】
一方、ステップ２ｉにおいて制御部１８０は、通信部１１０による公衆基地局ＢＳからの無線信号の受信状態（例えば、ＲＳＳＩなど）を検出し、これに基づいて、通信が不可能な圏外に当該携帯電話機１００が位置するか否かを判定する。ここで、通信圏外と判定した場合には、ステップ２ｊに移行し、一方、通信圏内と判定した場合には、ステップ２ｍに移行する。
【００３１】
なお、通信が不可能との判断は、受信状態による圏外判定以外にも、サーバに対してデータを送信し、これに対する応答がサーバから得られないことを条件として利用することも可能である。例えば、無線リンクを形成しようと試みたが、これに対する応答が得られない場合が該当する。
【００３２】
ステップ２ｊにおいて制御部１８０は、表示部１３０を制御して、暗証番号の入力をユーザに促す表示を行い、操作部１４０を通じて暗証番号の入力を受け付け、ステップ２ｋに移行する。
【００３３】
ステップ２ｋにおいて制御部１８０は、記憶部１６０が記憶する暗証番号と、ステップ２ｊで受け付けた暗証番号が一致するか否かを判定する。ここで、暗証番号が一致する場合、すなわち正当な暗証番号が入力された場合には、ステップ２ｌに移行し、ユーザデータは消去されることなく、利用可能な状態が継続する。一方、暗証番号が一致しない場合には、ステップ２ｎに移行する。
【００３４】
ステップ２ｌにおいて制御部１８０は、時計部１７０を制御して、タイマｔ３をスタートさせ、ステップ２ｈに移行する。なおここで、タイマｔ３が既にカウントを行っている場合には、タイマｔ３のカウント値をリセットし、タイマｔ３を再スタートさせる。すなわち、タイマｔ３は、暗証番号の入力がなされ、その認証が完了してからの経過時間をカウントする。
【００３５】
一方、ステップ２ｍにおいて制御部１８０は、記憶部１６０からユーザデータを読み出し、通信部１１０を制御して、読み出したユーザデータをサーバ装置２００に送信し、ステップ２ｎに移行する。これにより携帯電話機１００から送信されたユーザデータは、公衆基地局ＢＳおよび移動通信網ＮＷを通じて、サーバ装置２００に送信される。
【００３６】
これに対して、サーバ装置２００では、通信部２１０が上記ユーザデータを受信するように制御部２３０が制御し、制御部２３０は、受信したユーザデータを携帯電話機１００の識別情報（例えば加入者番号）などと対応付けて、記憶部２２０に記録する。なお、すでに、上記携帯電話機１００のユーザデータが記憶部２２０に記憶されている場合には、受信したユーザデータを上書き保存する。
【００３７】
ステップ２ｎにおいて制御部１８０は、記憶部１６０が記憶するユーザデータを消去し、当該処理を終了する。なお、タイマの閾値Ｔ１，Ｔ２，Ｔ３の大小関係は、Ｔ１＜Ｔ３＜Ｔ２が望ましい。また、閾値Ｔ１，Ｔ２，Ｔ３は、ユーザが操作部１４０を通じて任意に設定してもよく、あるいは通信事業者が予め決めた値や、通信事業者が移動通信網ＮＷを通じて、外部からの遠隔操作により設定するようにしてもよい。
【００３８】
以上のように、上記構成の携帯電話機１００では、一定時間Ｔ２が経過すると、記憶部１６０が記憶するユーザデータをサーバ装置２００に送信して退避させた後、記憶部１６０から上記ユーザデータを消去するようにしている。
【００３９】
したがって、上記構成の携帯電話機１００によれば、紛失し、どこかに放置された状態でも、一定時間Ｔ２が経過すれば、ユーザデータはサーバ装置２００に保存され、なおかつ携帯電話機１００内からは消去されるので、ユーザデータを失うことがなく、またユーザデータの漏洩を防止できる。
【００４０】
また上記構成の携帯電話機１００では、上記一定時間Ｔ２が経過しても、携帯電話機１００が通信圏外にある場合には、正当な暗証番号を入力することにより、一定時間Ｔ３の間だけ、上記ユーザデータを消去することなく、このデータの利用が可能な状態を継続するようにしている。
【００４１】
したがって、上記構成の携帯電話機１００によれば、通信圏外において不本意にユーザデータが消去されてしまうことを防止できる。また、悪意を持つ者が、通信圏外に移動して当該携帯電話機１００からユーザデータが自動消去されることを故意に行っても、暗証番号の入力が必要とされるので、悪意を持つ者がユーザデータの自動消去を阻止することはできない。
【００４２】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００４３】
その一例として例えば、上記実施の形態では、タイマのカウント値は、時計部１７０がカウントするようにしたが、制御部１８０が通信部１００を制御して、公衆基地局ＢＳから通知される時刻情報を受信し、これに基づいてカウント値を求めるようにしてもよい。これによれば、悪意を有する者に、時計部１７０によるカウント値の改ざんを防止できる。
【００４４】
また時計部１７０の時刻調整は、制御部１８０が操作部１４０を通じて、正当な暗証番号が入力された場合に限り、行えるようにしてもよい。さらには、制御部１８０が通信部１００を制御して、公衆基地局ＢＳから通知される時刻情報を取得するようにし、この時刻情報を取得できる場合には、こちらを優先的に用いて各カウント値ｔ１，ｔ２，ｔ３を求め、上記時刻情報が取得できない場合には、時計部１７０から時刻情報を取得してこれに基づいて各カウント値ｔ１，ｔ２，ｔ３を求めるようにしてもよい。
【００４５】
そして上記実施の形態では、ステップ２ｎにおいてユーザデータを消去するようにしたが、これに代わって例えば、制御部１８０は、ユーザデータは消去せずそのまま記憶部１６０に記憶させておき、以後、操作部１４０を通じたユーザ操作があっても、制御部１８０は、ユーザデータに基づく個人情報の表示制御を行わないようにしてもよい。そして、図示しない外部機器接続用のインターフェイスに、通信事業者が用いる特殊な端末装置を接続し、この端末装置を通じた外部制御により、ユーザデータを上記端末装置に読み出すようにしてもよい。
【００４６】
また上記実施の形態では、一定時間Ｔ１が経過した場合や、ユーザデータを消去する前に、ユーザデータをサーバ装置２００に退避させるようにしたが、これに代わり、もしくはこれに加えて例えば、通信部１１０が検出したＲＳＳＩなどに基づいて、制御部１８０が通信回線の状態悪化を検出した場合に、通信部１１０を制御してユーザデータをサーバ装置２００に退避させるようにしてもよい。
【００４７】
さらに上記実施の形態では、一定時間Ｔ１が経過する毎に、ユーザデータをサーバ装置２００に退避させる（ステップ２ｃ）とともに、一定時間Ｔ２（＞Ｔ１）が経過すると、ユーザデータをサーバ装置２００に退避させた（ステップ２ｍ）後、ユーザデータを消去するようにしている（ステップ２ｎ）が、上述したようにステップ２ｃにてユーザデータを退避させているので、ステップ２ｍによるユーザデータの退避は、必ずしも行わなくてもよい。
【００４８】
また、以上に示した例では、経過時間を基準にユーザデータを消去するか否かの判断を行っているが、これに限らず、携帯電話機１００の電源オフ操作を行った場合に、電源をオフする処理に着手する前にユーザデータをサーバに退避し、記憶部１６０からユーザデータを消去するようにしてもよい。更に、携帯電話機１００が操作されない状態になったと判断できる場合、即ち、開閉タイプの携帯電話機１００である場合は閉じられたことを検出したとき、また、キー操作のない状態が一定時間経過した場合に、同様にユーザデータの退避と消去を行ってもよい。
【００４９】
また、経過時間を基準にする場合でも、携帯電話機１００の電源がオンにされたときにはカウントをスタートさせず、ユーザ操作が終了したタイミングをカウント開始のトリガにするようにしてもよい。  
その他、この発明の要旨を逸脱しない範囲で種々の変形を施しても同様に実施可能であることはいうまでもない。
【図面の簡単な説明】
【００５０】
【図１】この発明に係わる移動無線端末装置の一実施形態の構成を示す回路ブロック図。
【図２】図１に示した移動無線端末装置のユーザデータの退避や消去に関わる制御動作を説明するためのフローチャート。
【符号の説明】
【００５１】
１００…携帯電話機、１０１…アンテナ、１１０…通信部、１２０…音声処理部、１２１…スピーカ、１２２…マイクロホン、１３０…表示部、１４０…操作部、１５０…報知部、１６０…記憶部、１７０…時計部、１８０…制御部、２００…サーバ装置、２１０…通信部、２２０…記憶部、２３０…制御部、ＢＳ…公衆基地局、ＮＷ…移動通信網。
【図１】
2008017329.tif 000003
【図２】
2008017329.tif 000004